(57)【要約】【課題】多様なデジタル放送に対応できる可搬型のデジタル放送受信機を提供する。【解決手段】デジタル放送信号の放送波を受信し、受信したデジタル放送信号を再生可能な形式に変換し、変換されたデジタル放送信号をホスト機器２００に供給するデジタル放送受信機１００であって、受信したデジタル放送信号を再生可能な形式に変換するためのＢ−ＣＡＳカード１５０が装着されるカード装着部１１０と、ケーブルを介さずにホスト機器２００に直接的に接続されるＵＳＢコネクタ１４０とを備え、Ｂ−ＣＡＳカード１５０を用いて再生可能な形式に変換されたデジタル放送信号が、ＵＳＢコネクタ１４０からホスト機器２００に供給される。【選択図】図１
2011109189.tif 000002
【特許請求の範囲】
【請求項１】
デジタル放送信号の放送波を受信し、受信したデジタル放送信号を再生可能な形式に変換し、変換されたデジタル放送信号をホスト機器に供給するデジタル放送受信機であって、
前記受信したデジタル放送信号を前記再生可能な形式に変換するためのＩＣカードが装着されるカード装着部と、
ケーブルを介さずに前記ホスト機器に直接的に接続されるコネクタとを備え、
前記ＩＣカードを用いて前記再生可能な形式に変換されたデジタル放送信号が、前記コネクタから前記ホスト機器に供給されることを特徴とするデジタル放送受信機。
【請求項２】
前記ＩＣカードは、電波産業会規格に準拠したプラグインＳＩＭ形状を有し、前記デジタル放送信号に施された暗号化を解除するためのデータを格納していることを特徴とする請求項１に記載のデジタル放送受信機。
【請求項３】
前記コネクタは、凸状であり、前記ホスト機器に設けられた凹状のホスト側コネクタに挿入され、
前記コネクタには、前記デジタル放送受信機を駆動するための電力が前記ホスト機器から供給されることを特徴とする請求項１又は２に記載のデジタル放送受信機。
【請求項４】
前記受信したデジタル放送信号を前記再生可能な形式に変換して前記ホスト機器に供給するための複数の回路が分散して搭載される複数の回路基板と、
前記回路基板を収納する筐体とを有することを特徴とする請求項１〜３の何れか一項に記載のデジタル放送受信機。
【請求項５】
前記ＩＣカード及び前記回路基板それぞれは、互いに平行な状態で、前記回路基板に直交する方向に間隔をおいて配置されることを特徴とする請求項４に記載のデジタル放送受信機。
【請求項６】
前記ＩＣカード及び前記回路基板それぞれは、縦長形状を有しており、前記ＩＣカードの長手方向が前記回路基板の長手方向に一致する状態で配置されることを特徴とする請求項５に記載のデジタル放送受信機。
【請求項７】
前記カード装着部は、前記ＩＣカードを保持する保持部を有し、
前記保持部は、一つの回路基板の一方の面に取り付けられることを特徴とする請求項４〜６の何れか一項に記載のデジタル放送受信機。
【請求項８】
前記一つの回路基板の他方の面には、一部の前記回路が搭載されることを特徴とする請求項７に記載のデジタル放送受信機。
【請求項９】
前記筐体は、少なくとも上側部分と下側部分とを含み、
前記上側部分及び前記下側部分のそれぞれには、回路基板が取り付けられることを特徴とする請求項４〜８の何れか一項に記載のデジタル放送受信機。
【請求項１０】
前記カード装着部は、前記筐体に形成され、前記ＩＣカードが挿入されるカード挿入口を有し、
前記カード挿入口の縁部には、前記カード挿入口の内側に向けて突出する凸状部分と、前記カード挿入口の外側に向けて凹む凹状部分とが設けられることを特徴とする請求項４〜９の何れか一項に記載のデジタル放送受信機。
【請求項１１】
前記デジタル放送受信機に固有の情報を用いて、前記暗号化が解除されたデジタル放送信号を処理する処理手段をさらに備え、
前記デジタル放送受信機が前記ホスト機器に装着されている場合に限り、前記固有の情報を用いて処理されたデジタル放送信号を前記ホスト機器が再生可能としたことを特徴とする請求項２に記載のデジタル放送受信機。
【請求項１２】
前記筐体に着脱可能な蓋体をさらに備え、
前記カード装着部は、前記筐体の端部に形成され、前記ＩＣカードが挿入されるカード挿入口を有し、
前記蓋体は、前記デジタル放送受信機の使用時において前記カード挿入口が形成された前記端部に取り付け可能であることを特徴とする請求項４に記載のデジタル放送受信機。
【発明の詳細な説明】
【技術分野】
【０００１】
本発明は、デジタル放送信号の放送波を受信するデジタル放送受信機に関する。
【背景技術】
【０００２】
デジタルテレビ放送等により放送されるデジタル放送信号の放送波を受信するデジタル放送受信機は、受信したデジタル放送信号を再生可能な形式に変換し、変換されたデジタル放送信号をホスト機器（例えば、ＰＣ）に供給する。
【０００３】
近年では、外出先等においてもデジタル放送信号を手軽に視聴したいというユーザの要求に応えるために、可搬型のデジタル放送受信機が提供されている（例えば、特許文献１及び２参照）。
【先行技術文献】
【特許文献】
【０００４】
【特許文献１】特開２００５−６２８４号公報
【特許文献２】特開２００６−７４７０９号公報
【発明の概要】
【発明が解決しようとする課題】
【０００５】
ところで、例えば日本の地上デジタル放送の放送波を受信する場合等においては、著作権保護のための暗号化がデジタル放送信号に施されているケースがあり、当該デジタル放送信号を再生可能な形式に変換するためには、暗号化を解除するための特殊な構成が必要になる。
【０００６】
しかしながら、従来の可搬型のデジタル放送受信機は、そのような特殊な構成を有していないため、デジタル放送信号を再生可能な形式に変換できない。従って、従来では、可搬型のデジタル放送受信機を用いて視聴可能なデジタル放送が限られているという問題があった。
【０００７】
そこで、本発明は、多様なデジタル放送に対応できる可搬型のデジタル放送受信機を提供することを目的とする。
【課題を解決するための手段】
【０００８】
上述した課題を解決するために、本発明は以下のような特徴を有している。まず、本発明の第１の特徴は、デジタル放送信号の放送波を受信し、受信したデジタル放送信号を再生可能な形式に変換し、変換されたデジタル放送信号をホスト機器に供給するデジタル放送受信機（デジタル放送受信機１００）であって、前記受信したデジタル放送信号を前記再生可能な形式に変換するためのＩＣカード（例えばＢ−ＣＡＳカード１５０）が装着されるカード装着部（カード装着部１１０）と、ケーブルを介さずに前記ホスト機器に直接的に接続されるコネクタ（例えばＵＳＢコネクタ１４０）とを備え、前記ＩＣカードを用いて前記再生可能な形式に変換されたデジタル放送信号が、前記コネクタから前記ホスト機器に供給されることを要旨とする。
【０００９】
このようなデジタル放送受信機は、受信したデジタル放送信号を再生可能な形式に変換するためのＩＣカードが装着されるカード装着部を有する。このため、視聴にＩＣカードを必要とするデジタル放送（例えば、日本の地上デジタル放送）に対応できる。また、上記の特徴に係るデジタル放送受信機は、ケーブルを介さずにホスト機器に直接的に接続されるコネクタを有する。ケーブルが不要な構成とすることで、持ち運び容易な小型のデジタル放送受信機を構成できる。
【００１０】
従って、上記の特徴によれば、多様なデジタル放送に対応できる可搬型のデジタル放送受信機を提供できる。
【００１１】
本発明の第２の特徴は、本発明の第１の特徴に係り、前記ＩＣカードは、電波産業会規格に準拠したプラグインＳＩＭ形状を有し、前記デジタル放送信号に施された暗号化を解除するためのデータを格納していることを要旨とする。
【００１２】
プラグインＳＩＭ形状のＩＣカードは、従来のクレジットカードサイズのＩＣカードよりも小型であり、プラグインＳＩＭ形状のＩＣカードに対応した構成とすることで、デジタル放送受信機を小型化できる。また、デジタル放送信号が暗号化されている場合でも、ＩＣカードに格納されているデータを用いて当該暗号化を解除できる。
【００１３】
本発明の第３の特徴は、本発明の第１又は第２の特徴に係り、前記コネクタは、凸状であり、前記ホスト機器に設けられた凹状のホスト機器２００のＵＳＢコネクタ２１０に挿入され、前記コネクタには、前記デジタル放送受信機を駆動するための電力が前記ホスト機器から供給されることを要旨とする。
【００１４】
このような特徴によれば、デジタル放送受信機のコネクタがホスト機器２００のＵＳＢコネクタ２１０に挿入されることで、デジタル放送受信機をホスト機器に固定できる。また、コネクタにはデジタル放送受信機を駆動するための電力がホスト機器から供給されるため、電源ケーブルを別途接続する必要がない。従って、ホスト機器を持ち運びながらデジタル放送を視聴するような場合にも対応可能なデジタル放送受信機を提供できる。
【００１５】
本発明の第４の特徴は、本発明の第１〜第３の何れかの特徴に係り、前記受信したデジタル放送信号を前記再生可能な形式に変換して前記ホスト機器に供給するための複数の回路が分散して搭載される複数の回路基板（例えば、ＵＳＢ側基板１８０、カード側基板１９０）と、前記回路基板を収納する筐体（筐体１６０）とを有することを要旨とする。
【００１６】
このような特徴によれば、複数の回路が複数の回路基板に分散して搭載されることで、１つの回路基板に搭載する場合よりも各回路基板を小型化できる。よって、回路基板を収納する筐体の小型化を図ることができ、デジタル放送受信機の小型化に寄与できる。
【００１７】
本発明の第５の特徴は、本発明の第４の特徴に係り、前記ＩＣカード及び前記回路基板それぞれは、互いに平行な状態で、前記回路基板に直交する方向に間隔をおいて配置されることを要旨とする。
【００１８】
このような特徴によれば、ＩＣカード及び回路基板のそれぞれを前記回路基板に直交する方向に積み重ねる構成としているため、ＩＣカード及び回路基板を同一平面内に配置する構成と比較してデジタル放送受信機を大幅に小型化できる。
【００１９】
本発明の第６の特徴は、本発明の第５の特徴に係り、前記ＩＣカード及び前記回路基板それぞれは、縦長形状を有しており、前記ＩＣカードの長手方向が前記回路基板の長手方向に一致する状態で配置されることを要旨とする。
【００２０】
このような特徴によれば、デジタル放送受信機全体を縦長形状に構成できるため省スペース化を実現でき、持ち運び容易なデジタル放送受信機を提供できる。
【００２１】
本発明の第７の特徴は、本発明の第４〜第６の何れかの特徴に係り、前記カード装着部は、前記ＩＣカードを保持する保持部（保持部１１１）を有し、前記保持部は、一つの回路基板（例えばカード側基板１９０）の一方の面（例えば上面）に取り付けられることを要旨とするデジタル放送受信機。
【００２２】
このような特徴によれば、ＩＣカードを保持する保持部を回路基板に取り付けることで、回路基板と個別に保持部を設ける場合よりもデジタル放送受信機を小型化できる。
【００２３】
本発明の第８の特徴は、本発明の第７の特徴に係り、前記一つの回路基板の他方の面（例えば下面）には、一部の前記回路が搭載されることを要旨とする。
【００２４】
このような特徴によれば、ＩＣカードを保持する保持部が取り付けられる回路基板に回路も搭載することで、当該回路基板を有効活用することができ、デジタル放送受信機を小型化できる。
【００２５】
本発明の第９の特徴は、本発明の第４〜第８の何れかの特徴に係り、前記筐体は、少なくとも上側部分（上側部分１６１）と下側部分（下側部分１６３）とを含み、前記上側部分及び前記下側部分のそれぞれには、回路基板が取り付けられることを要旨とする。
【００２６】
このような特徴によれば、上側部分及び下側部分のそれぞれに回路基板を取り付けることで、取り付け用の部品を別途設ける場合よりもデジタル放送受信機を小型化できる。
【００２７】
本発明の第１０の特徴は、本発明の第４〜第９の何れかの特徴に係り、前記カード装着部は、前記筐体に形成され、前記ＩＣカードが挿入されるカード挿入口（カード挿入口１６０ａ）を有し、前記カード挿入口の縁部には、前記カード挿入口の内側に向けて突出する凸状部分（凸状部分１６０ｂ）と、前記カード挿入口の外側に向けて凹む凹状部分（凹状部分１６０ｃ）とが設けられることを要旨とする。
【００２８】
このような特徴によれば、カード挿入口の内側に向けて突出する凸状部分により、ＩＣカードの抜けを抑制できる。また、カード挿入口の外側に向けて凹む凹状部分により、ＩＣカードを取り出す作業を容易にできる。
【００２９】
本発明の第１１の特徴は、本発明の第２の特徴に係り、前記デジタル放送受信機に固有の情報を用いて、前記暗号化が解除されたデジタル放送信号を処理する処理手段（主制御回路１３３）をさらに備え、前記デジタル放送受信機が前記ホスト機器に装着されている場合に限り、前記固有の情報を用いて処理されたデジタル放送信号を前記ホスト機器が再生可能としたことを要旨とする。
【００３０】
このような特徴によれば、デジタル放送受信機がされていることが認識できない場合には再生を制限することにより、著作権保護を担保できる。
【００３１】
本発明の第１２の特徴は、本発明の第４の特徴に係り、前記筐体に着脱可能な蓋体（蓋体１７０）をさらに備え、前記カード装着部は、前記筐体の端部に形成され、前記ＩＣカードが挿入されるカード挿入口（カード挿入口１６０ａ）を有し、前記蓋体は、前記デジタル放送受信機の使用時において前記カード挿入口が形成された前記端部に取り付け可能であることを要旨とする。
【００３２】
このような特徴によれば、デジタル放送受信機の使用時において、カード挿入口から埃が侵入することを抑制できる。
【発明の効果】
【００３３】
本発明によれば、多様なデジタル放送に対応できる可搬型のデジタル放送受信機を提供できる。
【図面の簡単な説明】
【００３４】
【図１】本発明の実施形態に係るデジタル放送受信機及びホスト機器の概略構成を示すブロック図である。
【図２】不使用時におけるデジタル放送受信機の外観を示す斜視図である。
【図３】使用時におけるデジタル放送受信機の外観を示す斜視図である。
【図４】本発明の実施形態に係るデジタル放送受信機の分解斜視図である。
【図５】本発明の実施形態に係るＵＳＢ側基板における回路配置を示す平面図である。
【図６】本発明の実施形態に係るカード側基板における回路配置を示す平面図である。
【図７】本発明の実施形態に係るデジタル放送受信機の側面図である。
【図８】本発明の実施形態に係るデジタル放送受信機を上方から観た平面図である。
【図９】デジタル放送受信機の挿入方向と反対側の筐体端部の構成を示す図である。
【図１０】本発明の実施形態に係るデジタル放送受信機の蓋体の構成を示す図である。
【発明を実施するための形態】
【００３５】
次に、図面を参照して、本発明のデジタル放送受信機の実施形態について説明する。具体的には、（１）全体概略構成、（２）デジタル放送受信機の詳細構成例、（３）作用・効果、（４）その他の実施形態について説明する。以下の実施形態における図面の記載において、同一又は類似の部分には同一又は類似の符号を付している。
【００３６】
（１）全体概略構成
図１は、本実施形態に係るデジタル放送受信機１００、及びデジタル放送受信機１００のホストとして機能するホスト機器２００の概略構成を示すブロック図である。本実施形態では、デジタル放送受信機１００が日本のフルセグメント方式の地上デジタルテレビ放送の放送波を受信するものとし、ホスト機器２００が可搬型のＰＣ（例えばノートＰＣ）であるものとする。なお、フルセグメント方式とは、全セグメント（１３セグメント）を受信する方式である。
【００３７】
デジタル放送受信機１００は、地上デジタルテレビ放送信号の放送波を受信し、受信した地上デジタルテレビ放送信号を再生可能な形式に変換し、変換された地上デジタルテレビ放送信号をホスト機器２００に供給する。デジタル放送受信機１００は、カード装着部１１０、アンテナ端子１２５、ＲＦ（Radio Frequency）回路１３１、復調回路１３２、主制御回路１３３、電源回路１３４、読み取り回路１３５及びＵＳＢ（Universal Serial Bus）コネクタ１４０を有する。
【００３８】
アンテナ端子１２５には、アンテナ１２０が接続される。アンテナ１２０としては、伸縮可能なロッドアンテナが使用できる。アンテナ端子１２５には、ケーブルを介して、ロッドアンテナよりも高感度の外部アンテナが接続されてもよい。あるいは、アンテナ端子１２５には、Ｆ型コネクタ変換アダプタを介して、家庭用のテレビアンテナが接続されてもよい。以下においては、アンテナ１２０がロッドアンテナであるものとする。
【００３９】
アンテナ１２０が受信したＲＦ帯の地上デジタルテレビ放送信号は、アンテナ端子１２５を介してＲＦ回路１３１に入力される。ＲＦ回路１３１は、入力された地上デジタルテレビ放送信号を増幅するとともに低周波数に変換して復調回路１３２に入力する。復調回路１３２は、入力された地上デジタルテレビ放送信号をＯＦＤＭ復調して主制御回路１３３に入力する。
【００４０】
カード装着部１１０には、アンテナ１２０が受信した地上デジタルテレビ放送信号を再生可能な形式に変換するためのＩＣカードの一種であるＢ−ＣＡＳカード１５０が装着される。ここで、「再生可能な形式」とは、例えば地上デジタルテレビ放送信号の暗号化が解除されている状態を意味する。ただし、暗号化が解除された地上デジタルテレビ放送信号に対してローカルな暗号化が施された状態であってもよい。以下においては、デジタル放送受信機１００が、暗号化が解除された地上デジタルテレビ放送信号に対してローカルな暗号化を施した上でホスト機器２００に供給する構成を説明する。
【００４１】
Ｂ−ＣＡＳカード１５０は、電波産業会（ＡＲＩＢ）規格に準拠したプラグインＳＩＭ（Subscriber Identification Module）形状を有する。詳細には、ＡＲＩＢ  ＳＴＤ中において、該当する規格は次の３つのＩＳＯ規格がリンクされている。ISO7816-1：1987（物理カード形状を定義）。ISO7816-2：1988（端子の位置と形状を定義）。ISO7816-3：1999（電気信号とプロトコルを定義）。
【００４２】
Ｂ−ＣＡＳカード１５０は、日本の地上デジタルテレビ放送信号に施された暗号化を解除するためのデータを格納している。具体的には、Ｂ−ＣＡＳカード１５０は、カード固有の識別情報とともに暗号鍵データを格納するのＩＣチップを有する。
【００４３】
読み取り回路１３５は、Ｂ−ＣＡＳカード１５０から暗号鍵データを読み取って主制御回路１３３に入力する。主制御回路１３３は、復調回路１３２からの復調後の地上デジタルテレビ放送信号に対し、読み取り回路１３５からの暗号鍵データを用いた復号を行う。これにより、地上デジタルテレビ放送信号の暗号化が解除される。
【００４４】
ＵＳＢコネクタ１４０は、ケーブルを介さずにホスト機器２００に直接的に接続される。本実施形態では、ＵＳＢコネクタ１４０は、ＵＳＢ２．０規格に準拠した構成を有する。主制御回路１３３は、デジタル放送受信機１００に固有の情報（例えばシリアル番号）を予め記憶している。主制御回路１３３は、当該固有の情報を用いて、暗号化が解除された地上デジタルテレビ放送信号に対してローカルな暗号化を施した上で、ＵＳＢコネクタ１４０を介してホスト機器２００に供給する。
【００４５】
ＵＳＢコネクタ１４０には、デジタル放送受信機１００を駆動するための電力がホスト機器２００から供給される。電源回路１３４は、ホスト機器２００からの電力を安定化して各ブロックに供給する。
【００４６】
ホスト機器２００は、ＵＳＢコネクタ２１０、処理部２２０、記憶部２３０、表示部２４０、スピーカ２５０、及び操作受付部２６０を有する。これらの各ブロックは、バスライン２７０を介して相互に接続されている。
【００４７】
ＵＳＢコネクタ２１０には、デジタル放送受信機１００のＵＳＢコネクタ１４０が挿入される。また、ＵＳＢコネクタ２１０には、ローカルな暗号化が施された地上デジタルテレビ放送信号が入力される。当該地上デジタルテレビ放送信号は、処理部２２０に入力される。処理部２２０は、地上デジタルテレビ放送信号を再生し、映像データ及び音声データを生成する。ここで、処理部２２０は、デジタル放送受信機１００に固有の情報をデジタル放送受信機１００から取得し、ローカルな暗号化を解除した上で地上デジタルテレビ放送信号を再生する。すなわち、デジタル放送受信機１００が装着されていない状態では、ホスト機器２００は地上デジタルテレビ放送信号を再生できないようになっている。映像データは表示部２４０に入力され、音声データはスピーカ２５０に入力される。その結果、表示部２４０は映像を表示し、スピーカ２５０は音声を出力する。記憶部２３０は、ハードディスクドライブ（ＨＤＤ）及びメモリを用いて構成され、地上デジタルテレビ放送信号の視聴（再生）及び記録（録画）に用いられる。
【００４８】
なお、キーボード等の操作受付部２６０がユーザから操作を受け付けた場合、操作内容が処理部２２０に伝達され、処理部２２０は、操作内容に対応するコマンドをＵＳＢコネクタ２１０を介してデジタル放送受信機１００に転送する。主制御回路１３３は、転送されたコマンドに応じた制御を行う。
【００４９】
（２）デジタル放送受信機の詳細構成例
次に、図２〜図１１を参照して、デジタル放送受信機１００の詳細構成例について説明する。
【００５０】
図２は、不使用時におけるデジタル放送受信機１００の外観を示す斜視図である。具体的には、図２（ａ）はデジタル放送受信機１００の上面側の斜視図であり、図２（ｂ）はデジタル放送受信機１００の下面側の斜視図である。なお、「上（ＵＰ）」「下（ＤＮ）」とは、デジタル放送受信機１００を水平に設置した場合の「上」「下」を意味する。
【００５１】
図２に示すように、デジタル放送受信機１００は、筐体１６０及び蓋体１７０を有する。筐体１６０は、図１に示したＲＦ回路１３１、復調回路１３２、主制御回路１３３、電源回路１３４、読み取り回路１３５、及びＢ−ＣＡＳカード１５０を内部に含む。筐体１６０の側面からは、アンテナ１２０（ロッドアンテナ）が延出している。蓋体１７０は、筐体１６０に取り付けられ、ＵＳＢコネクタ１４０を覆うように構成されている。
【００５２】
筐体１６０において、デジタル放送受信機１００の挿入方向Ｄ１と反対側の端部には、カード装着部１１０の一部を構成する横長状のカード挿入口１６０ａが形成されている。カード挿入口１６０ａには、Ｂ−ＣＡＳカード１５０が挿入される。
【００５３】
図３は、使用時におけるデジタル放送受信機１００の外観を示す斜視図である。具体的には、図３（ａ）はデジタル放送受信機１００の上面側の斜視図であり、図３（ｂ）はデジタル放送受信機１００の下面側の斜視図である。
【００５４】
デジタル放送受信機１００の使用時においては、蓋体１７０が筐体１６０から取り外され、挿入方向Ｄ１と反対側の筐体端部に蓋体１７０が取り付け可能である。なお、アンテナ１２０は基部１２０ａにおいて回動可能であり、実際には先端部１２０ｂを上方に向けた状態で伸ばして使用される。
【００５５】
ＵＳＢコネクタ１４０は、凸状であり、ホスト機器２００に設けられた凹状のＵＳＢコネクタ２１０に挿入される。すなわち、ＵＳＢコネクタ１４０は、所謂Ａ型のＵＳＢコネクタである。
【００５６】
図４は、デジタル放送受信機１００の分解斜視図である。
【００５７】
図２及び図３に示した筐体１６０は、図４に示すように、上側部分１６１、外枠部分１６２、及び下側部分１６３によって構成される。また、図２及び図３に示した蓋体１７０は、図４に示すように、本体部分１７１及び外枠部分１７２によって構成される。
【００５８】
上側部分１６１、外枠部分１６２、及び下側部分１６３によって構成される筐体１６０は、ＵＳＢ側基板１８０及びカード側基板１９０を収納する。本実施形態では、上側部分１６１にカード側基板１９０が直接取り付けられ、下側部分１６３にＵＳＢ側基板１８０が直接取り付けられる。
【００５９】
挿入方向Ｄ１側のＵＳＢ側基板１８０の端部には、ＵＳＢコネクタ１４０が固定される。挿入方向Ｄ１の反対側のＵＳＢ側基板１８０の端部には、アンテナ端子１２５が固定される。
【００６０】
カード側基板１９０の上面には、Ｂ−ＣＡＳカード１５０を保持する保持部１１１が取り付けられる。保持部１１１の上面には、Ｂ−ＣＡＳカード１５０と電気的に接続するための端子（不図示）が設けられている。なお、保持部１１１の幅は、ＵＳＢ側基板１８０及びカード側基板１９０のそれぞれの幅に略一致する。
【００６１】
図５は、ＵＳＢ側基板１８０における回路配置を示す平面図である。具体的には、図５（ａ）はＵＳＢ側基板１８０の上面側の平面図であり、図５（ｂ）はＵＳＢ側基板１８０の下面側の平面図である。
【００６２】
図５（ａ）に示すように、ＵＳＢ側基板１８０の上面には、ＲＦ回路１３１、復調回路１３２、電源回路１３４、及び基板用コネクタ１８１が搭載される。図５（ｂ）に示すように、ＵＳＢ側基板１８０の下面には、主に電源回路１３４が搭載される。ＲＦ回路１３１、復調回路１３２、及び電源回路１３４のそれぞれは、半導体集積回路として構成されている。
【００６３】
図６は、カード側基板１９０における回路配置を示す平面図である。具体的には、図６（ａ）はカード側基板１９０の上面側の平面図であり、図６（ｂ）はカード側基板１９０の下面側の平面図である。
【００６４】
図６（ａ）に示すように、カード側基板１９０の上面には、Ｂ−ＣＡＳカード１５０を保持する保持部１１１が搭載される。図６（ｂ）に示すように、カード側基板１９０の下面には、主制御回路１３３、読み取り回路１３５、及び基板用コネクタ１９１が搭載される。主制御回路１３３及び読み取り回路１３５のそれぞれは、半導体集積回路として構成されている。基板用コネクタ１９１は、ＵＳＢ側基板１８０の基板用コネクタ１８１と連結され、各種の信号の入出力を行う。
【００６５】
このように、ＵＳＢ側基板１８０及びカード側基板１９０には、地上デジタルテレビ放送信号を再生可能な形式に変換してホスト機器２００に供給するための複数の回路が分散して搭載される。
【００６６】
図７は、デジタル放送受信機１００の側面図である。ただし、筐体１６０及び蓋体１７０内部の構成を破線により一部図示している。
【００６７】
図７に示すように、Ｂ−ＣＡＳカード１５０、ＵＳＢ側基板１８０、及びカード側基板１９０それぞれは、互いに平行な状態で、上下方向（回路基板に直交する方向）に間隔をおいて配置される。つまり、Ｂ−ＣＡＳカード１５０、ＵＳＢ側基板１８０、及びカード側基板１９０のそれぞれを上下方向に積み重ねる構成としている。
【００６８】
図８は、デジタル放送受信機１００を上方から観た平面図である。ただし、筐体１６０及び蓋体１７０内部の構成を破線により一部図示している。
【００６９】
図８に示すように、Ｂ−ＣＡＳカード１５０、ＵＳＢ側基板１８０、及びカード側基板１９０のそれぞれは、縦長形状を有しており、Ｂ−ＣＡＳカード１５０の長手方向がＵＳＢ側基板１８０及びカード側基板１９０の長手方向に一致する状態で配置される。これにより、デジタル放送受信機１００全体が縦長形状に構成されている。
【００７０】
図９は、挿入方向Ｄ１と反対側の筐体端部の構成を示す図である。
【００７１】
図９に示すように、カード装着部１１０は、筐体１６０に形成され、Ｂ−ＣＡＳカード１５０が挿入されるカード挿入口１６０ａを有する。カード挿入口１６０ａの縁部には、カード挿入口１６０ａの内側に向けて突出する凸状部分１６０ｂと、カード挿入口１６０ａの外側に向けて凹む凹状部分１６０ｃとが設けられる。
【００７２】
図１０は、蓋体１７０の構成を示す図である。具体的には、図１０（ａ）は、蓋体１７０の本体部分１７１に設けられた開口部１７１ｂ周辺の構成を示す図である。図１０（ｂ）は、蓋体１７０の本体部分１７１の側面図である。
【００７３】
図１０（ａ）に示すように、開口部１７１ｂは、奥に行くに従い間隔が狭くなるガイド部１７１ｃを有する。ガイド部１７１ｃは、ＵＳＢコネクタ１４０をガイド及び支持するためのものである。ＵＳＢコネクタ１４０の位置が下寄りであるため、ガイド部１７１ｃもＵＳＢコネクタ１４０の位置に対応して構成されている。開口部１７１ｂの手前側において、上下方向の中心位置には、切り欠き１７１ａが形成されている。一方、蓋体１７０の外枠部分１７２には、切り欠き１７１ａの外側に位置する溝部１７２ａが形成されている（図４参照）。図２（ｂ）、図７、図８、及び図９に示すように、挿入方向Ｄ１と反対側の筐体端部には、縦（上下）方向に延びる凸部１６５と、横方向に延びる凸部１６６とが形成されている。挿入方向Ｄ１と反対側の筐体端部に蓋体１７０が取り付けられる際、凸部１６６が本体部分１７１の切り欠き１７１ａに係合し、凸部１６５が外枠部分１７２の溝部１７２ａに係合する。これにより、蓋体１７０の上下を区別することなく、挿入方向Ｄ１と反対側の筐体端部に蓋体１７０を取り付け可能としている。
【００７４】
（３）作用・効果
以上説明したように、デジタル放送受信機１００は、Ｂ−ＣＡＳカード１５０が装着されるカード装着部１１０を有するため、日本のフルセグメント方式の地上デジタルテレビ放送の受信に対応できる。
【００７５】
プラグインＳＩＭ形状のＢ−ＣＡＳカード１５０は、従来のクレジットカードサイズのＢ−ＣＡＳカード１５０よりも小型であり、プラグインＳＩＭ形状のＢ−ＣＡＳカード１５０に対応した構成とすることで、デジタル放送受信機１００を小型化できる。
【００７６】
また、デジタル放送受信機１００は、ケーブルを介さずにホスト機器２００に直接的に接続されるＵＳＢコネクタ１４０を有する。ケーブルが不要な構成とすることで、持ち運び容易な小型のデジタル放送受信機１００を構成できる。
【００７７】
本実施形態では、デジタル放送受信機１００のＵＳＢコネクタ１４０がホスト機器２００のＵＳＢコネクタ２１０に挿入されることで、デジタル放送受信機１００がホスト機器２００に固定される。また、ＵＳＢコネクタ１４０にはデジタル放送受信機１００を駆動するための電力がホスト機器２００から供給されるため、電源ケーブルを別途接続する必要がない。従って、ホスト機器２００を持ち運びながらデジタル放送を視聴するような場合にも対応可能なデジタル放送受信機１００を提供できる。
【００７８】
本実施形態では、複数の回路をＵＳＢ側基板１８０及びカード側基板１９０に分散して搭載することで、１つの回路基板に搭載する場合よりもＵＳＢ側基板１８０及びカード側基板１９０のそれぞれを小型化できる。よって、ＵＳＢ側基板１８０及びカード側基板１９０を収納する筐体１６０の小型化を図ることができ、デジタル放送受信機１００の小型化に寄与できる。
【００７９】
本実施形態では、Ｂ−ＣＡＳカード１５０、ＵＳＢ側基板１８０、及びカード側基板１９０のそれぞれを上下方向に積み重ねる構成としているため、Ｂ−ＣＡＳカード１５０、ＵＳＢ側基板１８０、及びカード側基板１９０を同一平面内に配置する構成と比較してデジタル放送受信機１００を小型化できる。
【００８０】
本実施形態では、デジタル放送受信機１００全体を縦長形状に構成できるため、持ち運び容易であり、且つ省スペースなデジタル放送受信機１００を提供できる。
【００８１】
本実施形態では、Ｂ−ＣＡＳカード１５０を保持する保持部１１１をカード側基板１９０に取り付けることで、カード側基板１９０と個別に保持部１１１を設ける場合よりもデジタル放送受信機１００を小型化できる。
【００８２】
本実施形態では、保持部１１１が取り付けられるカード側基板１９０に主制御回路１３３も搭載することで、カード側基板１９０を有効活用することができ、デジタル放送受信機１００を小型化できる。
【００８３】
本実施形態では、上側部分１６１にカード側基板１９０を直接取り付け、下側部分１６３にＵＳＢ側基板１８０を直接取り付けることで、取り付け用の部品を別途設ける場合よりもデジタル放送受信機１００を小型化できる。
【００８４】
本実施形態では、カード挿入口１６０ａの内側に向けて突出する凸状部分１６０ｂにより、Ｂ−ＣＡＳカード１５０の抜けを抑制できる。また、カード挿入口１６０ａの外側に向けて凹む凹状部分１６０ｃにより、Ｂ−ＣＡＳカード１５０を取り出す作業を容易にできる。
【００８５】
本実施形態では、デジタル放送受信機１００がホスト機器２００に装着されていることが認識できない場合には再生を制限することにより、著作権保護を担保できる。
【００８６】
本実施形態では、蓋体１７０は、デジタル放送受信機１００の使用時においてカード挿入口１６０ａが形成された筐体端部に取り付け可能であるため、カード挿入口から埃が侵入することを抑制できる。
【００８７】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８８】
上述した実施形態では、デジタル放送受信機１００が日本のフルセグメント方式の地上デジタルテレビ放送の放送波を受信する構成を例示した。しかしながら、日本のフルセグメント方式の地上デジタルテレビ放送を受信する構成に限らず、ＢＳデジタル放送の受信や、１１０度ＣＳデジタル放送の受信、デジタルラジオ放送の受信にデジタル放送受信機１００を応用してもよい。
【００８９】
また、カード装着部１１０にＢ−ＣＡＳカード１５０が装着される構成を例示したが、Ｂ−ＣＡＳカード１５０に限らず、他の認証用途のＩＣカード等がカード装着部１１０に装着される構成としてもよい。
【００９０】
さらに、デジタル放送受信機１００が、ＵＳＢ２．０規格に準拠したＵＳＢコネクタ１４０を有する構成を例示した。しかしながら、ＵＳＢ３．０規格に準拠したＵＳＢコネクタ１４０であってもよく、また、ホスト機器２００に直接的に接続可能なものであればＵＳＢ以外の規格に準拠したコネクタであってもよい。
【００９１】
上述した実施形態では、デジタル放送受信機１００が２つの回路基板（ＵＳＢ側基板１８０、カード側基板１９０）を有する構成を例示したが、１つの回路基板のみを有していてもよく、３つ以上の回路基板を有していてもよい。
【００９２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９３】
１００…デジタル放送受信機、１１０…カード装着部、１１１…保持部、１２０…アンテナ、１２０ａ…基部、１２０ｂ…先端部、１２５…アンテナ端子、１３１…ＲＦ回路、１３２…復調回路、１３３…主制御回路、１３４…電源回路、１３５…読み取り回路、１４０…ＵＳＢコネクタ、１５０…Ｂ−ＣＡＳカード、１６０…筐体、１６０ａ…カード挿入口、１６０ｂ…凸状部分、１６０ｃ…凹状部分、１６１…上側部分、１６２…外枠部分、１６３…下側部分、１６５…凸部、１６６…凸部、１７０…蓋体、１７１…本体部分、１７１ｂ…開口部、１７１ｃ…ガイド部、１７２…外枠部分、１７２ａ…溝部、１８０…ＵＳＢ側基板、１８１…基板用コネクタ、１９０…カード側基板、１９１…基板用コネクタ、２００…ホスト機器、２１０…ＵＳＢコネクタ、２２０…処理部、２３０…記憶部、２４０…表示部、２５０…スピーカ、２６０…操作受付部、２７０…バスライン
【図１】
2011109189.tif 000003
【図２】
2011109189.tif 000004
【図３】
2011109189.tif 000005
【図４】
2011109189.tif 000006
【図５】
2011109189.tif 000007
【図６】
2011109189.tif 000008
【図７】
2011109189.tif 000009
【図８】
2011109189.tif 000010
【図９】
2011109189.tif 000011
【図１０】
2011109189.tif 000012